(57)【要約】      （修正有）【課題】フィンの構造を複雑にすることなく、連通路を流れる気流の風速を室外熱交換器（連通路）全体でできる限り均一にすることが可能な空気調和装置を提供する。【解決手段】筐体と、筐体の一部を構成する複数のフィン２３、２９と、隣接するフィン同士の間に形成された、筐体の内側空間と外側空間とを連通する連通路と、フィンと接触しかつ内部を伝熱流体が流れる伝熱流体流通管と、筐体内に配設した、連通路を通って外側空間側へ流れる気流を発生させるファンと、連通路の一部を塞ぐ態様でフィンに取り付けた、取り付けない場合と比べて連通路の通風抵抗を増大させる気流抵抗部材３４と、を備える。【選択図】図４
2017048968.tif 000002
【特許請求の範囲】
【請求項１】
筐体と、
前記筐体の一部を構成する複数のフィンと、
隣接する前記フィン同士の間に形成された、前記筐体の内側空間と外側空間とを連通する連通路と、
前記フィンと接触しかつ内部を伝熱流体が流れる伝熱流体流通管と、
前記筐体内に配設した、前記連通路を通って前記外側空間側へ流れる気流を発生させるファンと、
前記連通路の一部を塞ぐ態様で前記フィンに取り付けた、取り付けない場合と比べて前記連通路の通風抵抗を増大させる気流抵抗部材と、
を備える、空気調和装置。
【請求項２】
請求項１に記載の空気調和装置において、
前記気流抵抗部材が樹脂材である、空気調和装置。
【請求項３】
請求項２に記載の空気調和装置において、
前記気流抵抗部材が発砲体である、空気調和装置。
【請求項４】
請求項３に記載の空気調和装置において、
前記気流抵抗部材がウレタンを含む材料によって構成された、空気調和装置。
【請求項５】
請求項２乃至４のいずれか１項に記載の空気調和装置において、
前記気流抵抗部材が前記フィンに対して接着された、空気調和装置。
【請求項６】
請求項１乃至５のいずれか１項に記載の空気調和装置において、
前記伝熱流体が冷媒と冷却水の少なくとも一方である、空気調和装置。
【請求項７】
請求項１乃至６のいずれか１項に記載の空気調和装置において、
前記フィンの幅方向が、前記筐体の側壁の厚み方向と平行な方向であり、
前記フィンの一部が、その幅が他の部位と比べて狭い狭幅部となっており、
前記狭幅部に前記気流抵抗部材を取り付けた、空気調和装置。
【発明の詳細な説明】
【技術分野】
【０００１】
本発明は空気調和装置に関する。
【背景技術】
【０００２】
従来から室内機と室外機とを備える空気調和装置が知られている。
室内機は室内熱交換器を備えている。
【０００３】
室外機は、圧縮機、膨張弁、アキュムレータ、ファン、及びこれらの部材を内部に収納した筐体を備えている。
さらに筐体の一部は、互いに平行をなす多数のフィンにより構成されている。各フィンは、上下方向に長い薄板状部材であり、その幅方向は筐体の側壁の厚み方向と平行である。さらに隣接するフィンの間には、筐体をその厚み方向に貫通しかつ筐体の内側空間と外側空間とを連通する多数の連通路が形成されている。さらに各フィンには冷却用チューブが接続されている。フィン及び冷却用チューブが室外熱交換器を構成している。
室外機のファンが作動すると、筐体の外側空間の空気が連通路を介して内側空間へ流れ込み、さらに筐体の連通路（室外熱交換器）とは別の部位に形成された開口から外側空間へ流れ出る。このようにファンの作動によって、室外機の内外の間を流れる気流が形成される。
【０００４】
空気調和装置は冷媒管を備えている。冷媒管の一部は室内機の室内熱交換器に接続しており、さらに別の一部には冷却用チューブが接続されている。さらに冷媒管には、圧縮機、膨張弁、及びアキュムレータが設けられている。
【０００５】
例えば空気調和装置が冷房運転を行うとき、室内熱交換器が（室内機が設置された）室内の空気と熱交換を行う。即ち、室内熱交換器が室内の空気から熱を奪う。そのため、室内の空気が冷やされ、かつ、室内熱交換器が加熱される。そのため、室内熱交換器において冷媒管内の冷媒が温められ、さらにこの冷媒が冷媒管を介して室外機の室外熱交換器へ送られる。
すると室外熱交換器を構成する冷却用チューブ内の冷媒の熱が、冷却用チューブの表面及び冷却用チューブに接触するフィンの表面から放熱される。そのためファンによって形成された気流によって、この熱は室外機の外側に排出される。
【０００６】
ところで、一定時間内に連通路を流れる空気流量が連通路全体で均一となるように室外熱交換器を作動させると、室外熱交換器は冷房運転時に高い熱交換機能（放熱機能）を発揮できる。換言すると、室外熱交換器が冷房運転時に高い熱交換機能を発揮するためには、連通路を流れる気流の流速を連通路全体でできる限り均一にする必要がある。
しかしながら、一般的にファンによって連通路に形成される気流の流速は、ファンからの距離が近いほど速くなり、遠くなるほど遅くなり易い。そして室外熱交換器（連通路）の各部位とファンとの距離は、各部位ごとに異なる。そのため、一般的に連通路を流れる気流の風速は、室外熱交換器の各部位ごとに異なる。
【０００７】
特許文献１、２はこの課題を解決可能な空気調和装置を開示している。
特許文献１、２の空気調和装置では、室外熱交換器の各部位を構成するフィンの幅（筐体の側壁の厚み方向の寸法）を、ファンとの位置関係に応じて設定している。即ち、ファンとの距離が近い部位ではフィンを広幅にし、ファンとの距離が遠い部位ではフィンを狭幅にしている。換言すると、ファンとの距離が近い部位では連通路の通風抵抗を大きくし、ファンとの距離が遠い部位では連通路の通風抵抗を小さくしている。
そのため特許文献１、２の空気調和装置では、連通路を流れる気流の風速が、室外熱交換器（連通路）全体でおおよそ均一になる。従って、特許文献１、２の空気調和装置は高い熱交換機能（放熱機能）を発揮可能である。
【先行技術文献】
【特許文献】
【０００８】
【特許文献１】特許第４１９６４４２号公報
【特許文献２】特開２０１３−１３０３２９号公報
【発明の概要】
【０００９】
（発明が解決しようとする課題）
特許文献１、２では、室外熱交換器の各部位を構成するフィンの幅をファンとの位置関係に応じて変えている。
しかし室外熱交換器（フィン）をこのように構成すると、各フィンの構造が複雑になってしまう。そのため、空気調和装置の製造コストが高くなってしまう。
【００１０】
本発明は、フィンの構造を複雑にすることなく、連通路を流れる気流の風速を室外熱交換器（連通路）全体でできる限り均一にすることが可能な空気調和装置を提供することを目的とする。
【００１１】
（課題を解決するための手段）
本発明は、筐体と、前記筐体の一部を構成する複数のフィンと、隣接する前記フィン同士の間に形成された、前記筐体の内側空間と外側空間とを連通する連通路と、前記フィンと接触しかつ内部を伝熱流体が流れる伝熱流体流通管と、前記筐体内に配設した、前記連通路を通って前記外側空間側へ流れる気流を発生させるファンと、前記連通路の一部 を塞ぐ態様で前記フィンに取り付けた、取り付けない場合と比べて前記連通路の通風抵抗を増大させる気流抵抗部材と、を備えるのがよい。
【００１２】
本発明では、連通路の一部を塞ぐ態様でフィンの内側空間側の端面に気流抵抗部材を取り付けて、気流抵抗部材を設けない場合と比べて連通路の一部の通風抵抗を増加させている。そのため、気流抵抗部材のフィンに対する取付位置を工夫することにより、気流抵抗部材をフィンに取り付けない場合と比べて、連通路を流れる気流の風速を連通路全体で均一にすることができる。従って、本発明の空気調和装置は高い熱交換機能を発揮可能である。
さらに、気流抵抗部材は既存のフィンに対して取り付け可能である。即ち、本発明では従来技術のようにフィンの構造を複雑にする必要がない。
【００１３】
前記気流抵抗部材が樹脂材であってもよい。
【００１４】
このように構成すれば、気流抵抗部材をより安価に製造できるようになる。
【００１５】
さらに、前記気流抵抗部材を発砲体としてもよい。
【００１６】
このように構成すれば、気流抵抗部材を軽量化できる。そのため、気流抵抗部材のフィンへの取り付けが容易になる。
【００１７】
さらに、前記気流抵抗部材をウレタンを含む材料によって構成してもよい。
【００１８】
このように構成すれば、発砲体によって構成された気流抵抗部材を安価に製造可能となる。
さらにウレタンは対候性に優れているので、室外において大気や日光に晒されても気流抵抗部材は劣化し難い。
【００１９】
前記気流抵抗部材が前記フィンに対して接着されてもよい。
【００２０】
このように構成すれば、気流抵抗部材をフィンに対してより簡単に取り付け可能になる。
【００２１】
前記伝熱流体が冷媒と冷却水の少なくとも一方であってもよい。
【００２２】
前記フィンの幅方向が、前記筐体の側壁の厚み方向と平行な方向であり、前記フィンの一部が、その幅が他の部位と比べて狭い狭幅部となっており、前記狭幅部に前記気流抵抗部材を取り付けてもよい。
【００２３】
一般的に、狭幅部の間に形成された連通路の通風抵抗は、フィンの狭幅部以外の部位の間に形成された連通路の通風抵抗と比べて小さくなる。そのため、狭幅部に気流抵抗部材を取り付けて狭幅部の間に形成された連通路の通風抵抗を大きくすれば、連通路を流れる気流の風速を連通路全体で均一にすることができる。
【００２４】
さらに、一般的にフィンの内側空間側の端面とファンとの間には所定の間隔を設ける必要がある。そのため、仮にフィンの幅が広い部位及びファンを一平面上に位置させて互いに対向させた場合は、この平面上における筐体の寸法が大きくなる。即ち、空気調和装置全体が大型化する。
しかし、本発明ではファンをフィンの狭幅部と対向する態様で筐体内に設けているので、空気調和装置全体を小型化することが可能になる。
【００２５】
またフィンの狭幅部の幅は、フィンのその他の部分と比べて幅が狭い。そのため連通路の通風抵抗は、狭幅部と対応する部位がその他の部位と比べて小さくなり易い。
しかし、狭幅部に気流抵抗部材を取り付けることにより、気流抵抗部材を狭幅部に装着しない場合と比べて、連通路の狭幅部と対応する部位の通風抵抗を大きくすることができる。そのため、気流抵抗部材を狭幅部に装着しない場合と比べて、連通路を流れる気流の風速を連通路全体でより均一にすることができる。
【図面の簡単な説明】
【００２６】
【図１】本発明の一実施形態の空気調和装置の室外機の正面図である。
【図２】室外機の上部筐体の一部の斜視図である。
【図３】室外機の上部の縦断側面図である。
【図４】室外熱交換器及びラジエータの断面図である。
【図５】図４のＶ−Ｖ矢線に沿う断面図である。
【図６】図４のVI−VI矢線に沿う断面図である。
【図７】室外熱交換器及び気流抵抗部材の筐体の内周側から見た側面図である。
【図８】本実施形態と比較例の連通路を流れる気流の流速を示すグラフである。
【図９】室外機全体の模式的な断面図である。
【発明を実施するための形態】
【００２７】
以下、本発明の一実施形態について添付図面を参照して説明する。
本実施形態の空気調和装置１０はガスヒートポンプエアコン（ＧＨＰ）である。空気調和装置１０は、建物の室内に設置される室内機（図示略）と、建物の外に設置される室外機１５と、を備えている。さらに室内機と室外機１５は、後述する冷媒管により互いに接続されている。
【００２８】
図１に示すように室外機１５は、水平面で切断した断面が略矩形形状をなす筐体１６を備えている。さらに筐体１６は、筐体１６の下部を構成する下部筐体１７と、筐体１６の上部を構成する上部筐体１８と、を備えている。下部筐体１７の内部空間はエンジンルームを構成しており（図９参照）、上部筐体１８の内部空間は熱交換室２０を構成している。さらに筐体１６は、その内部においてエンジンルームと熱交換室２０とを仕切る水平板状の仕切板（図示略）を備えている。
【００２９】
図９に示すように下部筐体１７のエンジンルームには、ガスによって作動するガスエンジン、圧縮機、膨張弁、及びアキュムレータなどが設けられている。
【００３０】
図２に示すように上部筐体１８の互いに隣接する二つの側壁の一部は、共にフィンアンドチューブ構造である室外熱交換器２２及びラジエータ２８により構成されている。
図３乃至図６に示すように、上部筐体１８の中の室外熱交換器２２とラジエータ２８によって構成された部位は４層構造となっている。即ち、外周側の２つの層が室外熱交換器２２によって構成され、内周側の２つの層がラジエータ２８によって構成されている。
【００３１】
室外熱交換器２２は、水平方向に略一定間隔で並べられた、金属板からなる複数（多数）のフィン２３を備えている。各フィン２３は上下方向に延びており、その幅方向は上部筐体１８の側壁の厚み方向と平行である。外周側に位置する各フィン２３の内周側端面に、内周側に位置する各フィン２３の外周側端面がそれぞれ固定されている。各フィン２３の上下両端は、上部筐体１８の上端を構成する固定部材と下端を構成する固定部材とにそれぞれ固定されている。
さらに室外熱交換器２２は、各フィン２３を水平方向に貫通する金属製の一本の冷却用チューブ２４（伝熱流体流通管）を備えている。図５乃至図７に示すように、冷却用チューブ２４は、水平方向に延びる複数の水平部２５と、上下に隣接する水平部２５の端部同士を接続しかつ半円状をなす複数の端部接続部２６と、を一体的に備えている。
【００３２】
ラジエータ２８は、水平方向にフィン２３同士の間隔と略同一間隔で並べられた、金属板からなる複数（多数）のフィン２９を備えている。各フィン２９は上下方向に延びており、その幅方向は上部筐体１８の側壁の厚み方向と平行である。内周側に位置する各フィン２９の外周側端面に、外周側に位置する各フィン２９の内周側端面がそれぞれ固定されている。さらに外周側に位置する各フィン２９の外周側端面が、内周側に位置する各フィン２３の内周側端面にそれぞれ固定されている。
各フィン２９の下端は上部筐体１８の下端を構成する固定部材に固定されている。図４に示すように、各フィン２９の上端はフィン２３の上端よりも下方に位置している。そのため内周側に位置する各フィン２３の上部は上部筐体１８の内周側に露出している。
さらにラジエータ２８は、各フィン２９を水平方向に貫通する金属製の一本の冷却水用チューブ３０（伝熱流体流通管）を備えている。図６に示すように、冷却水用チューブ３０は、水平方向に延びる複数の水平部３１と、上下に隣接する水平部３１の端部同士を接続しかつ半円状をなす複数の端部接続部（図示略）と、を一体的に備えている。
【００３３】
互いに水平方向に隣接する各フィン２３及びフィン２９同士の間には、上部筐体１８の側壁をその厚み方向に貫通する複数の連通路３３が形成されている。図３に示すように、各連通路３３は上部筐体１８の内側空間と外側空間とを連通させている。
【００３４】
さらに図３乃至図５及び図７に示すように、内周側に位置する各フィン２３の上部の内周側端面には複数の気流抵抗部材３４が取り付けられている。
気流抵抗部材３４はウレタン製の発砲体であり、長尺状の薄板形状として構成されている。
各気流抵抗部材３４は、ほぼ水平方向に延びた状態で、両面テープを介して各フィン２３の上部の内周側端面に取り付けられている。そのため、室外熱交換器２２及びラジエータ２８の厚み方向に上部筐体１８を見たときに、各気流抵抗部材３４が各連通路３３の一部を塞いでいる。
各気流抵抗部材３４の厚みはフィン２９の幅に比べて小さい。従って、図４に示すように気流抵抗部材３４は内周側に位置するフィン２９の内周側端面よりも上部筐体１８の外周側に位置している。
【００３５】
空気調和装置１０は、室内機と室外機１５に跨って設けられた冷媒管（図９参照）を備えている。冷媒管の内部には図示を省略した冷媒（伝熱流体）が充填されている。
冷媒管の室内機内に位置する部位には、室内機側熱交換器が接続されている。
冷媒管の室外機１５内に位置する複数の部位には、圧縮機、膨張弁、及びアキュムレータ等がそれぞれ設けられている。さらに冷媒管の室外機１５内に位置する圧縮機、膨張弁、及びアキュムレータ等とは異なる部位には、冷却用チューブ２４の両端が接続されている。
【００３６】
室外機１５は、内部を冷却水（伝熱流体）が流れる冷却水管（図９参照）を備えている。この冷却水管の一部にはガスエンジンが接続されている。さらに冷却水管の一部には冷却水用ポンプが設けられている。冷却水管の一部は互いに並列をなす第一分岐路と第二分岐路とにより構成されている。第一分岐路は、筐体１６内に設けられたエンジン排熱回収器（図示略）を介して冷媒管の一部に接続されている。また第二分岐路には冷却水用チューブ３０の両端が接続されている。さらに冷却水管の一部には、冷却水を第一分岐路と第二分岐路の一方側へ選択して流すための切換弁（図９参照）が設けられている。切換弁は、冷却水管内の冷却水を第一分岐路側にのみ流す第一切換状態と、第二分岐路側にのみ流す第二切換状態と、に切換え可能である。
【００３７】
上部筐体１８の天井板１８ａには２つの排気孔１８ｂが形成されている。
さらに天井板１８ａの下面には、各排気孔１８ｂと対応させて２つのファン３６ａ、３６ｂが設けられている。
図３に示すように各ファン３６ａ、３６ｂはラジエータ２８の上端よりも上方に位置している。換言すると、各ファン３６ａ、３６ｂは室外熱交換器２２の上部と水平方向に対向している。
【００３８】
続いて空気調和装置１０の動作について説明する。
空気調和装置１０が作動すると２つのファン３６ａ、３６ｂが回転する。すると、室外熱交換器２２の各連通路３３を通して上部筐体１８の外側の空気が熱交換室２０内へ流れ込み、さらに熱交換室２０に流れた空気が上部筐体１８の各排気孔１８ｂから上部筐体１８の上方へ排気される。即ち、ファン３６ａ、３６ｂが回転すると図３に矢印で示した気流が形成される。
【００３９】
空気調和装置１０を暖房モードで作動させると、ガスエンジンの駆動力により圧縮機が作動し、圧縮機が低圧ガス冷媒を圧縮して高温高圧ガス冷媒を生成する。そして、圧縮機が生成した高温高圧ガス冷媒を冷媒管の一方側へ吐出する。するとこの高温高圧ガス冷媒は冷媒管を流れて室内機側熱交換器に流入する。室内機側熱交換器に流入した高温高圧ガス冷媒は室内機側熱交換器内を通る間に上記建物の室内に熱を吐き出して凝縮する。つまり、室内機側熱交換器は暖房時に凝縮器として機能する。このとき高温高圧ガス冷媒から吐き出された熱によって建物の室内の空気が暖められる。室内に熱を吐き出して凝縮した冷媒は一部が液化し、さらに冷媒管に設けられた膨張弁で膨張することにより蒸発しやすいように低圧化される。
【００４０】
空気調和装置１０が暖房モードで作動するとき、上記切換弁が冷却水を第一分岐路側にのみ流す第一切換状態となる。そのためガスエンジンによって加熱されかつ冷却水用ポンプの動力によって冷却水管内を流れる冷却水は、第一分岐路に設けられたエンジン排熱回収器へ流れる。そのため、冷却水の熱がエンジン排熱回収器において冷媒管内の低圧化された冷媒へ伝わる。即ち、冷却水の排熱によって冷媒をオーバーヒートする。
【００４１】
エンジン排熱回収器を通った冷媒は室外熱交換器２２の冷却用チューブ２４へ流入する。
すると冷媒が冷却用チューブ２４を流れている間に、ファン３６ａ、３６ｂによって形成されかつ連通路３３内を流れる気流の熱の一部が冷却用チューブ２４によって吸熱され、この熱が冷却用チューブ２４内の冷媒へ伝わる。さらに連通路３３を流れる気流の熱の一部はフィン２３及びフィン２９によって吸熱され、さらにこの熱はフィン２３、２９及び冷却用チューブ２４を介して冷却用チューブ２４内の冷媒へ伝わる。
このように室外熱交換器２２は暖房時に蒸発器として機能する。
【００４２】
外気の熱を奪って蒸発した冷媒は一部が気化し、さらにアキュムレータに導入される。アキュムレータに導入された冷媒は気液分離され、低温低圧のガス冷媒のみが取り出されて圧縮機に戻される。
このような冷媒の循環サイクルが繰り返されることにより、室内暖房が継続される。
【００４３】
一方、空気調和装置１０を冷房モードで作動させると、ガスエンジンの駆動力により圧縮機が作動し、圧縮機が低圧ガス冷媒を圧縮して高温高圧ガス冷媒を生成する。そして、圧縮機が生成した高温高圧ガス冷媒を冷媒管の一方側へ吐出する。するとこの高温高圧ガス冷媒は室外熱交換器２２の冷却用チューブ２４へ流入する。すると冷媒が冷却用チューブ２４を流れている間に、冷媒の熱の一部が冷却用チューブ２４の表面から連通路３３へ放熱される。さらに冷媒の熱の別の一部は冷却用チューブ２４からフィン２３及びフィン２９に伝わり、フィン２３及びフィン２９から連通路３３へ放熱される。
冷却用チューブ２４、フィン２３及びフィン２９から連通路３３へ放熱された熱によって温められた各連通路３３内の空気は、ファン３６ａ、３６ｂによって形成された上記気流によって各排気孔１８ｂから上部筐体１８の上方へ排気される。
このように室外熱交換器２２は冷房時に凝縮器として機能する。
【００４４】
さらに空気調和装置１０が冷房モードで作動するとき、上記切換弁が冷却水を第二分岐路側にのみ流す第二切換状態となる。そのためガスエンジンによって加熱されかつ冷却水用ポンプの動力によって冷却水管内を流れる冷却水は、第二分岐路に設けられたラジエータ２８の冷却水用チューブ３０へ流れる。すると冷却水が冷却水用チューブ３０を流れている間に、冷却水の熱の一部が冷却水用チューブ３０の表面から連通路３３へ放熱される。さらに冷却水の熱の別の一部は冷却水用チューブ３０からフィン２９及びフィン２３に伝わり、フィン２９及びフィン２３から連通路３３へ放熱される。
冷却水用チューブ３０から連通路３３へ排気された熱も、ファン３６ａ、３６ｂによって形成された上記気流によって各排気孔１８ｂから上部筐体１８の上方へ排気される。
【００４５】
外気に熱を吐き出して凝縮した冷媒は一部液化し、その後に膨張弁を通ることによって膨張する。即ち、膨張弁によって蒸発しやすいように低圧化される。冷媒管内の冷媒は、その後に室内機側熱交換器に流入する。室内機側熱交換器に流入した冷媒は室内機側熱交換器内を通る間に室内空気の熱を奪って蒸発する。つまり、冷房時には室内機側熱交換器が蒸発器として機能する。このとき冷媒が上記建物の室内の空気の熱を奪うことによって室内空気が冷やされて、室内が冷房される。
【００４６】
室内空気の熱を奪って蒸発した冷媒は一部気化し、室内機側熱交換器を通り抜けた後に冷媒管を流れてアキュムレータに導入される。アキュムレータに導入された冷媒は気液分離され、低温低圧のガス冷媒のみが圧縮機に戻される。このような冷媒の循環サイクルが繰り返されることにより、室内冷房が継続される。
【００４７】
このように空気調和装置１０が暖房と冷房のいずれの動作を行うときも、ファン３６ａ、３６ｂによって形成された気流が各連通路３３を流れることにより室外熱交換器２２又は／及びラジエータ２８が熱交換機能を発揮する。そして周知のように室外熱交換器２２及びラジエータ２８は、その各部位を流れる気流の風速が均一になればなる程、その熱交換機能を効率よく発揮する。
【００４８】
しかしながら、一般的に、ファン３６ａ、３６ｂによって形成される上記気流の流速は、ファン３６ａ、３６ｂからの距離が近いほど速くなり、遠くなるほど遅くなり易い。即ち、図８の鎖線（及び黒塗りの菱形）で示すように、各連通路３３の上部はファン３６ａ、３６ｂからの距離が近いため、各連通路３３の上部を流れる気流の流速は速くなり易い。その一方で、各連通路３３の下部はファン３６ａ、３６ｂからの距離が遠いため、各連通路３３の下部を流れる気流の流速は遅くなり易い。
そのため、連通路３３全体の気流の風速を均一にするためには、連通路３３の上部の通風抵抗を、連通路３３の上部より下方に位置する部位（特に連通路３３の下部）に比べて大きくする必要がある。
しかしながらラジエータ２８の上端は室外熱交換器２２の上端より下方で終端しており、そのためフィン２３の上部（ファン３６ａ、３６ｂと水平方向に対向する部位）は狭幅部となっている。フィン２３の上部を構成する狭幅部の幅（上部筐体１８の側壁の板厚方向寸法）は、フィン２３の上部より下方に位置する部分とラジエータ２８とによって構成された広幅部に比べてと比べて幅が狭い。そのため、室外熱交換器２２の上部に形成された連通路３３（即ち、連通路３３の上部）の通風抵抗は、室外熱交換器２２の下部及びラジエータ２８に形成された連通路３３（即ち、連通路３３の上部より下方に位置する部分）の通風抵抗よりも小さくなり易い。
【００４９】
そこで本実施形態では、内周側に位置する室外熱交換器２２の各フィン２３の上部の内周側端面に複数の気流抵抗部材３４を取り付けている。室外熱交換器２２及びラジエータ２８を上部筐体１８の板厚方向に見たときに、各気流抵抗部材３４は各連通路３３の一部を塞いでいる。そのため、各気流抵抗部材３４をフィン２３に装着しない場合と比べて、各連通路３３の上部を流れる気流の通風抵抗は大きくなっている。その結果、各連通路３３の上部の通風抵抗は各連通路３３の上部より下方に位置する部位の通風抵抗より大きくなっている。
そのため本実施形態では、各気流抵抗部材３４をフィン２３に装着しない場合と比べて、連通路３３の各部位を流れる気流の流速がより均一になっている（図８の実線及び黒塗りの正方形を参照）。従って、本実施形態の室外熱交換器２２及びラジエータ２８は気流抵抗部材３４を設けない場合と比べて優れた熱交換機能を発揮できる。
【００５０】
さらに、気流抵抗部材３４は既存のフィンに対して取り付け可能である。そのため、本実施形態ではフィン２３及びフィン２９を従来技術のように複雑な構造にする必要がない。
【００５１】
さらに気流抵抗部材３４はウレタン製（樹脂製）の発砲体である。そのため、気流抵抗部材３４は安価である。
しかも気流抵抗部材３４はウレタン製なので軽量であり、しかも両面テープによりフィン２３へ取り付け可能である。そのため気流抵抗部材３４はフィン２３に対して簡単に取り付け可能である。
さらにウレタンは対候性に優れているので、室外において大気や日光に晒されても気流抵抗部材３４は劣化し難い。
【００５２】
さらに、一般的にフィンの内側空間側の端面とファン３６ａ、３６ｂとの間には所定の間隔を設ける必要がある。そのため、例えばファン３６ａ、３６ｂ及びフィンの広幅部（フィン２３の上部より下方に位置する部分とラジエータ２８とによって構成された部分）を一平面上に位置する態様で互いに対向させた場合は、この平面上における筐体１６の寸法が大きくなる。即ち、空気調和装置１０が大型化する。
しかし、本実施形態では室外熱交換器２２の上部を狭幅部とした上で、ファン３６ａ、３６ｂをフィン２３の狭幅部と対向する態様で筐体１６内に設けているので、空気調和装置１０全体を小型化することが可能である。
【００５３】
以上、本発明の実施形態について説明したが、本発明は上記実施形態に限定されるべきものではない。
気流抵抗部材３４は、フィンに取り付けたときに（フィンの内側空間側の端面には限定されない）、取り付けない場合と比べて連通路３３を流れる気流全体の流速をより均一にさせるものであれば、その形状や材質は問われない。そのため気流抵抗部材３４をウレタンとその他の樹脂材との混合材により構成したり、ウレタン以外の樹脂材（例えばＰＰ、ＰＢＣ、塩化ビニルなど）により構成したりしてもよい。さらに気流抵抗部材３４を樹脂材以外の材料、例えば布によって構成してもよい。なお、気流抵抗部材３４を構成する材料としては対候性に優れるものが好ましい。
また、気流抵抗部材３４を発砲体とは異なる構造にしてもよい。
【００５４】
気流抵抗部材３４の数はいくつでもよい。
また気流抵抗部材３４のフィンへの取付態様は上記実施形態とは異なる態様であってもよい。例えば、気流抵抗部材３４を上下方向に延びる態様でフィンに取り付けてもよい。
気流抵抗部材３４は、室外熱交換器２２又はラジエータ２８のフィンのどこに取り付けてもよい。
さらに、気流抵抗部材３４を両面テープとは別の手段（例えば接着剤）によってフィンに取り付けてもよい。
【００５５】
室外熱交換器２２とラジエータ２８の積層数は４層である必要はなく、一層でも、４層以外の複数層でもよい。
室外機１５から室外熱交換器２２とラジエータ２８の一方を省略してもよい。
【００５６】
ガスヒートポンプエアコン（ＧＨＰ）以外の空気調和装置１０に本発明を適用してもよい。
【符号の説明】
【００５７】
１０・・・空気調和装置、１５・・・室外機、１６・・・筐体、１８・・・上部筐体、２２・・・室外熱交換器、２３・・・フィン、２４・・・冷媒用チューブ（伝熱流体流通管）、２８・・・ラジエータ、２９・・・フィン、３０・・・冷却水用チューブ（伝熱流体流通管）、３３・・・連通路、３４・・・気流抵抗部材、３６ａ、３６ｂ・・・ファン。
【図１】
2017048968.tif 000003
【図２】
2017048968.tif 000004
【図３】
2017048968.tif 000005
【図４】
2017048968.tif 000006
【図５】
2017048968.tif 000007
【図６】
2017048968.tif 000008
【図７】
2017048968.tif 000009
【図８】
2017048968.tif 000010
【図９】
2017048968.tif 000011